Podtech/llm-jp-corpus-v4-ja_patent huggingface dataset:
【手続補正書】
【提出日】平成20年7月28日(2008.7.28)
【手続補正１】
【補正対象書類名】明細書
【補正対象項目名】０００６
【補正方法】変更
【補正の内容】
【０００６】
しかしながら、排出タンパク質は低基質特異性を示し、多種の分子を輸送する。この特異性は正確には理解されておらず、薬剤物質の分子構造から、その特定の薬剤が、あるトランスポータータンパク質の基質であるか否かを予測する方法はない。故に、特定の薬剤または化合物が上記の排出ポンプ輸送作用に付されるかどうかの予測は不可能である。また、特定の薬剤が低経口バイオアベイラビリティーを有するとき、その低バイオアベイラビリティーが、全てまたは一部でも、上記の排出タンパク質によるものであるか予測できず、低バイオアベイラビリティーが排出タンパク質阻害剤の共投与により増加できるかどうかも予測できない(Chan et al. Eur. J. Pharmaceut. Sci., 21, 25-51, 2004参照)。
【手続補正書】
【提出日】平成20年7月28日(2008.7.28)
【手続補正１】
【補正対象書類名】特許請求の範囲
【補正対象項目名】請求項１
【補正方法】変更
【補正の内容】
【請求項１】
フレグランスを含む流動性パーソナルケア製品であって、該フレグランスがシリコーンオイルに溶解している前記流動性パーソナルケア製品。
【手続補正２】
【補正対象書類名】特許請求の範囲
【補正対象項目名】請求項５
【補正方法】変更
【補正の内容】
【請求項５】
シリコーンオイルが、ポリジメチルシロキサン流体中に溶解したポリジメチルシロキサンゴムである、請求項２に記載の流動性パーソナルケア製品。
【手続補正３】
【補正対象書類名】特許請求の範囲
【補正対象項目名】請求項９
【補正方法】変更
【補正の内容】
【請求項９】
シリコーンオイルに溶解したフレグランスを製品中に組み込む工程を含む、流動性パーソナルケア製品の製造方法。
【手続補正４】
【補正対象書類名】特許請求の範囲
【補正対象項目名】請求項１０
【補正方法】変更
【補正の内容】
【請求項１０】
シリコーンオイルに溶解したフレグランスが製品中に存在する総フレグランスの一部である、請求項９に記載の流動性パーソナルケア製品。
【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
式(I)により表される化合物又はその塩：
【化１】
2008508328.tif 000001
（式中、R1及びR2が、各々独立して、H、ハロ、シアノ、（C1-4）アルキル、（C1-4）ハロアルキル、（C2-4）アルケニル、（C2-4）アルキニル及び（C3-6）シクロアルキルから選択され；但し、R1がHである時、R2はHではなく；
R3がハロであり；
R4が、（C1-4）アルキル、ハロ及びニトロから選択され；及び
R5及びR6が、各々独立して、H、ハロ及び（C1-4）アルキルから選択される）。
【請求項２】
R1及びR2が、各々独立して、H、ハロ、シアノ、（C1-4）アルキル、（C1-4）ハロアルキル、及び（C3-6）シクロアルキルから選択され；
但し、R1がHである時、R2はHではない、請求項1に記載の化合物。
【請求項３】
R1及びR2が、各々独立して、H、フルオロ、クロロ、ブロモ、シアノ、トリフルオロメチル及びシクロプロピルから選択され；
但し、R1がHである時、R2はHではない、請求項２に記載の化合物。
【請求項４】
R3がクロロである、請求項1〜3のいずれか1項に記載の化合物。
【請求項５】
R4がクロロ、ブロモ、ニトロ、及びメチルから選択される、請求項1〜4のいずれか1項に記載の化合物。
【請求項６】
R4がクロロ、ブロモ、又はメチルである、請求項５に記載の化合物。
【請求項７】
R5が、H、フルオロ、クロロ又はメチルである、請求項1〜6のいずれか1項に記載の化合物。
【請求項８】
R5がH又はフルオロである、請求項1〜7のいずれか1項に記載の化合物。
【請求項９】
R1及びR2が、各々独立して、H、ハロ、シアノ、（C1-4）アルキル、（C2-4）アルケニル、（C2-4）アルキニル及び（C3-6）シクロアルキルから選択され；ここで、該（C1-4）アルキルが、場合により、1〜3個のハロ置換基で置換されていてもよく；但し、R1がHである時、R2はHではなく； 
R3がハロであり；
R4が、（C1-4）アルキル、ハロ及びニトロから選択され； 
R5が、H及びハロから選択され；及び
R6が、Hである、請求項1に記載の化合物又はそれらの医薬的に許容される塩。
【請求項１０】
R1及びR2が、各々独立して、H、ハロ、シアノ、（C1-4）アルキル、（C1-4）ハロアルキル、及び（C3-6）シクロアルキルから選択され；但し、R1がHである時、R2はHではなく；
R3が、クロロであり；
R4が、クロロ、ブロモ、ニトロ又はメチルであり； 
R5が、H、フルオロ、クロロ又はメチルであり；及び
R6が、H又はフルオロである、請求項1に記載の化合物。
【請求項１１】
R1及びR2が、各々独立して、H、フルオロ、クロロ、ブロモ、シアノ、トリフルオロメチル及びシクロプロピルから選択され；但し、R1がHである時、R2はHではなく；
R3が、クロロであり；
R4が、クロロ、ブロモ又はメチルであり； 
R5が、H、フルオロ、クロロ又はメチルであり；及び
R6が、H又はフルオロである、請求項1に記載の化合物。
【請求項１２】
以下の式の請求項1に記載の化合物。
【化２】
2008508328.tif 000002
（式中、R1、R2、R4、R5及びR5が、以下の表において記載される）：
【表１】
2008508328.tif 000003
【表２】
2008508328.tif 000004
【請求項１３】
請求項1〜12のいずれか1項に記載の化合物、又はそれらの医薬的に許容される塩、及び場合により、1又は2以上の医薬的に許容されるキャリヤを含む、医薬組成物。
【請求項１４】
1又は2以上の他の抗レトロウイルス薬を更に含む、請求項１３に記載の組成物。
【請求項１５】
1又は2以上の他の抗レトロウイルス薬が、NRTI、NNRTI、プロテアーゼ阻害剤、侵入阻害剤、インテグラーゼ阻害剤、TAT阻害剤、成熟阻害剤、免疫抑制薬及び抗真菌剤又は抗菌剤から選択される、請求項14に記載の組成物。
【請求項１６】
HIV感染の治療のための、請求項13〜15のいずれか1項に記載の組成物。
【請求項１７】
ウイルスを、抑制量の、請求項1〜１２のいずれか1項に記載の化合物又はそれらの医薬的に許容される塩にさらすことを含む、HIV-1の複製を抑制する方法。
【請求項１８】
HIV-1の複製を抑制するための、請求項１〜１２のいずれか1項に記載の化合物、又はそれらの医薬的に許容される塩の使用。
【請求項１９】
HIV感染の治療用薬剤を製造するための、請求項1〜１２のいずれか1項に記載の化合物、又はそれらの医薬的に許容される塩の使用。
【請求項２０】
HIV感染を治療するために有効な組成物を含み；及び組成物を使用して、ヒト免疫不全ウイルスによる感染を治療することができることを表示するラベルを含む材料が包装されており；組成物が、請求項１〜１２のいずれか1項に記載の化合物、又はそれらの医薬的に許容される塩を含む製品。
【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
マグネシウムアルコキシドと遷移金属化合物との反応生成物（成分a）及び有機金属化合物（成分b）を含む触媒であって、成分aはd50として表される平均粒径が100〜1000μmの範囲であるマグネシウムアルコキシド粉末が不活性条件下ミル内で乾式ミリングにより最初に処理され、d50として表される平均粒径15μm未満のマグネシウムアルコキシド粉末が製造され、次いでマグネシウムアルコキシドが不溶性である不活性炭化水素中に懸濁され、さらなる予備処理なしにチタン、ジルコニウム、バナジウム又はクロムの遷移金属化合物と迅速に反応することを特徴とする態様で調製される触媒の存在下で、懸濁液中、溶液中又は気相中、20〜200℃の温度、0.5〜50 barの圧力にて、式R4CH=CH2（式中、R4は水素又は1〜10個の炭素原子を有するアルキルラジカルである）の1-オレフィンの重合によりポリ-1-オレフィンを調製する方法。
【請求項２】
マグネシウムアルコキシド粉末はd50として表される平均粒径が200〜800μmの範囲である、請求項１に記載の方法。
【請求項３】
用いられる不活性炭化水素は、ブタン、ペンタン、ヘキサン、ヘプタン、イソオクタン、シクロヘキサン、メチルシクロヘキサンから選択される脂肪族又は脂環式炭化水素又はトルエン、キシレンから選択される芳香族炭化水素又は酸素化合物、硫黄化合物及び水分を含まないように慎重に処理されている水素添加ディーゼルオイル留分もしくは石油エーテル留分である、請求項１に記載の方法。
【請求項４】
ミリングされ懸濁しているマグネシウムアルコキシドは、１又は複数のステージで、TiCl4もしくはTi(OR)4から選択されるTi化合物、ZrCl4もしくはZr(OR)4から選択されるZr化合物、VCl4もしくはVOCl3から選択されるV化合物又はCrO2Cl2から選択されるクロム化合物と反応する、請求項１〜３のいずれか１項に記載の方法。
【請求項５】
ミリングされ懸濁しているマグネシウムアルコキシドは、20〜100℃の範囲にある温度、不活性炭化水素の存在下で、撹拌しながら、マグネシウムアルコキシド1 mol当たり0.05〜5molの遷移金属化合物と反応する、請求項１〜３のいずれかに記載の方法。
【請求項６】
ミリングされ懸濁しているマグネシウムアルコキシドは、60〜90℃の範囲にある温度で、遷移金属化合物と反応する、請求項５に記載の方法。
【請求項７】
ミリングされ懸濁しているマグネシウムアルコキシドは、マグネシウムアルコキシド1mol当たり0.1〜3.5 molの遷移金属化合物と反応する、請求項５又は６に記載の方法。
【請求項８】
反応時間は0.5〜8時間である、請求項１〜７のいずれかに記載の方法。
【請求項９】
反応時間は2〜6時間である、請求項８に記載の方法。
【請求項１０】
有機アルミニウム化合物、式R32AlClのジアルキルアルミニウムモノクロライド又は式R33Al2Cl3のアルキルアルミニウムセスキクロライド（sesquichlorides）から選択される塩素含有有機アルミニウム化合物（式中R3は1〜16個の炭素原子を有するアルキルラジカルである）が成分bとして用いられる、請求項１〜９のいずれかに記載の方法。
【請求項１１】
塩素含有有機アルミニウム化合物は(C2H5)2AlCl、(iC4H9)2AlCl、(C2H5)3AlCl3又はこれらの化合物の混合物から選択される、請求項１０に記載の方法。
【請求項１２】
成分aと成分bとの混合は、撹拌容器内で-30〜150℃の範囲にある温度で重合の前に行われるか、20〜200℃の範囲にある温度で２成分を重合容器内で直接組み合わせるか、又は-30〜+150℃の範囲にある温度で重合反応の前に成分aは成分bの第１の部分で予備活性化され、同じ成分bのさらなる部分もしくは別の成分bの添加が重合反応器内で20〜200℃の範囲にある温度で行われている２工程で成分bの添加が行われる、請求項１〜１１のいずれかに記載の方法。
【請求項１３】
成分aと成分bとの混合は、撹拌容器内で-10〜120℃の範囲にある温度で重合の前に行われる、請求項１２に記載の方法。
【請求項１４】
触媒は、予備重合状態で重合反応に添加される、請求項１〜１３のいずれかに記載の方法。
【請求項１５】
ポリマーのモル質量の調節は水素によってなされ、式R4-CH=CH2（式中、R4は水素原子又は1〜10個の炭素原子を有するアルキルラジカルである）の1-オレフィン類の重合に用いられる、請求項１〜１４のいずれかに記載の方法。
【請求項１６】
エチレン、プロピレン、1-ブテン、1-ヘキセン、4-メチル-1-ペンテンもしくは1-オクテンの重合に用いられる、請求項１５に記載の方法。
【請求項１７】
エチレン単独又は少なくとも50wt%のエチレン及び50wt%以下の式R4-CH=CH2（式中、R4は水素原子又は1〜10個の炭素原子を有するアルキルラジカルである）の別の1-オレフィンの混合物としての重合に用いられる、請求項１５に記載の方法。
【請求項１８】
重合は、溶液中、懸濁液中もしくは気相中で、連続もしくはバッチ態様で、１以上のステージで、20〜200℃の範囲にある温度で、0.5〜50barの圧力で、行われる、請求項１〜１７のいずれかに記載の方法。
【請求項１９】
重合は50〜150℃の範囲にある温度で行われる請求項１８に記載の方法。
【請求項２０】
重合は1.5〜30barの圧力で行われる請求項１８に記載の方法。
【請求項２１】
成分a又は成分aと成分bの反応生成物は分散媒体dm3当たり遷移金属0.0001〜1mmol遷移金属に基づく濃度で用いられ、重合はブタン、ペンタン、ヘキサン、ヘプタン、イソオクタン、シクロヘキサン、メチルシクロヘキサンから選択される脂肪族もしくは脂環式炭化水素、及び酸素化合物と硫黄化合物と水分とを含まないように慎重に処理されている石油エーテル留分もしくは水素添加ディーゼルオイル留分からなる群より選択される不活性分散媒体中で行われる、請求項１〜２０のいずれかに記載の方法。
【請求項２２】
成分a又は成分aと成分bの反応生成物は分散媒体dm3当たり遷移金属0.001〜0.5mmolの遷移金属に基づく濃度で用いられる、請求項２１に記載の方法。
【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
亜鉛を含まないか又は0.5phr(phr=エラストマー100部分当たりの質量部)よりも少ない亜鉛を含有するゴム組成物であって、
・ジエンエラストマー;
・強化用無機充填剤;
・任意に、5phrよりも少ない量のカーボンブラック;
・式(I)のシランポリスルフィド:
を含む、組成物。
【化１】
2008508378.tif 000001
(式中、
・記号R1及びR2は、同一でも異なっていてもよく、それぞれ、1〜6個の炭素原子及びフェニル基を有する直鎖又は分枝のアルキルから選択される1価の炭化水素基を表す;
・記号R3は、同一でも異なっていてもよく、それぞれ、水素、又は1〜4個の炭素原子を有する直鎖又は分枝のアルキル及び2〜8個の炭素原子を有する直鎖又は分枝のアルコキシアルキルから選択される1価の炭化水素基を表す;
・記号Zは、同一でも異なっていてもよく、1〜18個の炭素原子を含む2価の結合基である;・xは2以上の整数又は分数である。)
【請求項２】
以下の特徴を満たす、請求項１記載の組成物。
・記号R1及びR2が、メチル、エチル、n-プロピル及びイソプロピルから選択される;
・記号R3が、水素、メチル、エチル、n-プロピル及びイソプロピルから選択される;
・記号Zが、C1-C8アルキレンから選択される。
【請求項３】
以下の特徴を満たす、請求項１記載の組成物。
・記号R1及びR2が、メチル及びエチルから選択される;
・記号R3が、水素、メチル及びエチルから選択される;
・記号Zが、C1-C4アルキレンから選択される。
【請求項４】
シランポリスルフィドが、ビス-モノヒドロキシジメチルシリルプロピルポリスルフィド及びこれらのポリスルフィドの混合物から選択される、請求項１記載の組成物。
【請求項５】
シランポリスルフィドが、ビス-モノアルコキシジメチルシリルプロピルポリスルフィド及びこれらのポリスルフィドの混合物から選択される、請求項１記載の組成物。
【請求項６】
ジエンエラストマーが、ポリブタジエン、合成ポリイソプレン、天然ゴム、ブタジエンコポリマー、イソプレンコポリマー及びこれらのエラストマーの混合物からなる群から選択される、請求項１記載の組成物。
【請求項７】
亜鉛を含まないか又は0.5phrよりも少ない亜鉛を含有し、及び未硬化状態において向上した加工可能性を有する、ジエンエラストマー及び強化用無機充填剤に基づくゴム組成物を調製するための方法であって、少なくとも1種のジエンエラストマーに、強化用充填剤としての少なくとも1種の無機充填剤、0〜5phrのカーボンブラック及び式(I)のシランポリスルフィドを混練することによって組み込むことを特徴とする、方法。
【化２】
2008508378.tif 000002
(式中、
・記号R1及びR2は、同一でも異なっていてもよく、それぞれ、1〜6個の炭素原子及びフェニル基を有する直鎖又は分枝のアルキルから選択される1価の炭化水素基を表す;
・記号R3は、同一でも異なっていてもよく、それぞれ、水素、又は1〜4個の炭素原子を有する直鎖又は分枝のアルキル及び2〜8個の炭素原子を有する直鎖又は分枝のアルコキシアルキルから選択される1価の炭化水素基を表す;
・記号Zは、同一でも異なっていてもよく、1〜18個の炭素原子を含む2価の結合基である;・xは2以上の整数又は分数である。)
【請求項８】
請求項１記載のゴム組成物を含む、タイヤトレッド。
【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
ポリカーボネートおよび／またはポリエステルカーボネートおよび少なくとも一つの式（１）
【化１】
2008508374.tif 000001
（式中、残基Ｏ−Ｄ−ＯまたはＯ−Ｅ−Ｏはランダムに組み込まれたジフェノレート残基であり、ここで、−Ｄ−および−Ｅ−は互いに独立して、任意にヘテロ原子を含んでもよい一以上の芳香核または縮合芳香核を含んでもよく、任意にＣ１〜Ｃ１２アルキル残基またはハロゲンで置換されていてもよく、架橋員として脂肪族残基、脂環式残基、芳香核またはヘテロ原子を含んでもよい、Ｃ原子を６〜４０個有する芳香族残基であり、かつ
ｎ  が３〜２５である。）
の環状オリゴホルマールを含む組成物。
【請求項２】
Ｄ対Ｅのモル比が９５：５〜５：９５である、請求項１に記載の組成物。
【請求項３】
環状オリゴホルマールを１０〜６０，０００ｐｐｍ（ポリカーボネートおよび／またはポリエステルカーボネートに対して）の量で含む、請求項１または２に記載の組成物。
【請求項４】
請求項１〜３に記載の組成物から得られる成形品。
【請求項５】
請求項１〜３に記載の組成物から得られる光学データ記憶媒体。
【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
次式の化合物及び薬剤として許容されるその塩。
【化１】
2008508365.tif 000001
［式中、
Ｒ１は、Ｈ、ハロゲン、Ｃ１−１０アルキル、Ｃ２−１０アルケニル、Ｃ２−１０アルキニル、パーハロアルキル、ＣＮ、Ｎ（Ｒ６）２、ＳＲ６、ＣＯＮ（Ｒ６）２、ＮＲ６ＣＯＲ７、ＮＲ６ＣＯ２Ｒ７、ＳＯ２Ｎ（Ｒ６）２、ＮＲ６ＳＯ２Ｒ７、アリール、ヘテロアリール、Ｃ１−１０アルキルアリール及びＣ１−１０アルキルヘテロアリールからなる群から選択され、ｍ＋ｎ＝１のとき、Ｒ１はＯＲ６又はＯＣＯＲ７とすることもでき、
Ｒ２、Ｒ３及びＲ４は、Ｈ、ハロゲン、Ｃ１−１０アルキル、Ｃ２−１０アルケニル、Ｃ２−１０アルキニル、パーハロアルキル、ＣＮ、ＯＲ６、Ｎ（Ｒ６）２、ＳＲ６、ＯＣＯＲ７、ＣＯＮ（Ｒ６）２、ＮＲ６ＣＯＲ７、ＮＲ６ＣＯ２Ｒ７、ＳＯ２Ｎ（Ｒ６）２、ＮＲ６ＳＯ２Ｒ７、アリール、ヘテロアリール、Ｃ１−１０アルキルアリール及びＣ１−１０アルキルヘテロアリールからなる群から独立に選択され、又はＲ２とＲ３はこれらが結合している環と一緒に５から７員の炭素環又は複素環を形成し、
Ｒ５は、Ｈ、Ｃ１−１０アルキル、Ｃ２−１０アルケニル、Ｃ２−１０アルキニル、パーハロアルキル、ＣＮ、ＯＲ６、Ｎ（Ｒ６）２、ＳＲ６、ＯＣＯＲ７、ＣＯＮ（Ｒ６）２、ＮＲ６ＣＯＲ７、ＮＲ６ＣＯ２Ｒ７、ＮＲ６ＳＯ２Ｒ７、アリール、ヘテロアリール、Ｃ１−１０アルキルアリール及びＣ１−１０アルキルヘテロアリールからなる群から選択され、又はＲ４とＲ５はこれらが結合している環と一緒に６から８員のアリール環若しくはヘテロアリール環を形成し、
Ｒ５ａはＨであり、又はＲ５とＲ５ａは一緒にシクロプロパン環を形成し、
Ｒ６は、Ｈ、Ｃ１−１０アルキル、Ｃ２−１０アルケニル、Ｃ２−１０アルキニル、パーハロアルキル、Ｃ１−１０アルキル−Ｏ−Ｃ１−１０アルキル、アリール、ヘテロアリール、Ｃ１−１０アルキル−Ｏ−アリール、Ｃ１−１０アルキル−Ｏ−ヘテロアリール、Ｃ１−１０アルキルアリール及びＣ１−１０アルキルヘテロアリールからなる群から選択され、
Ｒ７は、Ｃ１−１０アルキル、Ｃ２−１０アルケニル、Ｃ２−１０アルキニル、パーハロアルキル、Ｃ１−１０アルキル−Ｏ−Ｃ１−１０アルキル、アリール、ヘテロアリール、Ｃ１−１０アルキル−Ｏ−アリール、及びＣ１−１０アルキル−Ｏ−ヘテロアリール、Ｃ１−１０アルキルアリール及びＣ１−１０アルキルヘテロアリールからなる群から選択され、
但し、Ｒ１、Ｒ２、Ｒ５及びＲ５ａがＨである場合、Ｒ３及び／又はＲ４はＨでなければならず、更に但し、Ｒ２、Ｒ３及びＲ４がＨであるとき、ＲはＯＲ６（ここでＲ６はＨである）であることはできない］。
【請求項２】
Ｒ１がＣ１−５アルキル、ハロゲン、ＣＦ３、アリール、ヘテロアリール若しくはＨであり、Ｒ２、Ｒ３及びＲ４が独立にＣ１−５アルキル、−Ｏ−Ｒ６、ハロゲン、ＣＦ３、アリール、ヘテロアリール若しくはＨであり、又はＲ２とＲ３がこれらが結合している環と一緒に５から７員のアリール環若しくはヘテロアリール環を形成し、Ｒ５がＣ１−５−アルキル、−ＯＲ６若しくはＣ２−６アルケンであり、Ｒ６がＣ１−５アルキル若しくはＨである、請求項１に記載の化合物。
【請求項３】
５−メトキシ−８−メチル−１，２，３，３ａ，８，８ａ−ヘキサヒドロインデノ［１，２−ｃ］ピロール、
５−ヒドロキシ−８−メチル−１，２，３，３ａ，８，８ａ−ヘキサヒドロインデノ［１，２−ｃ］ピロール、
５−メトキシ−６−クロロ−８−メチル−１，２，３，３ａ，８，８ａ−ヘキサヒドロインデノ［１，２−ｃ］ピロール、
５−ヒドロキシ−６−クロロ−８−メチル−１，２，３，３ａ，８，８ａ−ヘキサヒドロインデノ［１，２−ｃ］ピロール、
６−クロロ−８−メチル−１，２，３，３ａ，８，８ａ−ヘキサヒドロインデノ［１，２−ｃ］ピロール、
５−（４−フルオロベンジルオキシ）−６−クロロ−８−メチル−１，２，３，３ａ，８，８ａ−ヘキサヒドロインデノ［１，２−ｃ］ピロール、
５−ベンジルオキシ−６−クロロ−８−メチル−１，２，３，３ａ，８，８ａ−ヘキサヒドロインデノ［１，２−ｃ］ピロール、
５−（２−フルオロベンジルオキシ）−６−クロロ−８−メチル−１，２，３，３ａ，８，８ａ−ヘキサヒドロインデノ［１，２−ｃ］ピロール、
５−（３−フルオロベンジルオキシ）−６−クロロ−８−メチル−１，２，３，３ａ，８，８ａ−ヘキサヒドロインデノ［１，２−ｃ］ピロール、
１，２，３，３ａ，８，８ａ−ヘキサヒドロインデノ［１，２−ｃ］ピロール、
６−クロロ−１，２，３，３ａ，８，８ａ−ヘキサヒドロインデノ［１，２−ｃ］ピロール、
６，７−ジクロロ−８−メチル−１，２，３，３ａ，８，８ａ−ヘキサヒドロインデノ［１，２−ｃ］ピロール、
４，５−ジメトキシ−６−クロロ−８−メチル−１，２，３，３ａ，８，８ａ−ヘキサヒドロインデノ［１，２−ｃ］ピロール、
４，６−ジクロロ−５−メトキシ−８−メチル−１，２，３，３ａ，８，８ａ−ヘキサヒドロインデノ［１，２−ｃ］ピロール及び
６−（２，６−ジフルオロフェニル）−１，２，３，３ａ，８，８ａ−ヘキサヒドロインデノ［１，２−ｃ］ピロール
からなる群から選択される、請求項１に記載の化合物。
【請求項４】
請求項１に記載の少なくとも１種類の化合物と薬剤として許容される担体とを含む薬剤組成物。
【請求項５】
５−ＨＴ２ｃ機能の調節が必要な疾患、障害及び／又は症状の治療を必要とする患者に、請求項１に記載の少なくとも１種類の化合物の有効量を投与することを含む、患者において５−ＨＴ２ｃ機能の調節が必要な疾患、障害及び／又は症状を治療する方法。
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
第一及び第二外側表面を有する繊維性シートであって、少なくとも１つの外側表面は、カルボキシレートビニルアセテート−エチレンターポリマー、アゼチジニウム官能性架橋結合ポリマー及び化学反応性多官能性アルデヒド抗ブロッキング添加剤の架橋結合反応から形成された、硬化した結合材化合物の局所的に付与された網目形状を含んでおり、約０．４０から約０．７０の湿潤／乾燥比を有することを特徴とするシート。
【請求項２】
前記アゼチジニウム官能性ポリマーの量に対してカルボキシレートビニルアセテート−エチレンターポリマーの量は、固形物基準で約０．５から約２５重量パーセントであることを特徴とする請求項１に記載のシート。
【請求項３】
前記アゼチジニウム官能性ポリマーの量に対してカルボキシレートビニルアセテート−エチレンターポリマーの量は、固形物基準で約１から約２０重量パーセントであることを特徴とする請求項１に記載のシート。
【請求項４】
前記アゼチジニウム官能性ポリマーの量に対してカルボキシレートビニルアセテート−エチレンターポリマーの量は、固形物基準で約２から約１０重量パーセントであることを特徴とする請求項１に記載のシート。
【請求項５】
前記アゼチジニウム官能性ポリマーの量に対してカルボキシレートビニルアセテート−エチレンターポリマーの量は、固形物基準で約５から約１０重量パーセントであることを特徴とする請求項１に記載のシート。
【請求項６】
抗ブロッキング添加剤は、グリオキサルであることを特徴とする請求項１に記載のシート。
【請求項７】
抗ブロッキング添加剤は、グルタルアルデヒドであることを特徴とする請求項１に記載のシート。
【請求項８】
抗ブロッキング添加剤は、グリオキシル酸ポリアクリルアミドであることを特徴とする請求項１に記載のシート。
【請求項９】
前記アゼチジニウム官能性架橋結合ポリマーは、ポリアミド−エピクロロヒドリン樹脂であることを特徴とする請求項１に記載のシート。
【請求項１０】
前記アゼチジニウム官能性架橋結合ポリマーは、ポリアミド−ポリアミン−エピグロロヒドリン樹脂であることを特徴とする請求項１に記載のシート。
【請求項１１】
前記アゼチジニウム官能性架橋結合ポリマーは、ポリジアリルアミン−エピグロロヒドリン樹脂であることを特徴とする請求項１に記載のシート。
【請求項１２】
前記アゼチジニウム官能性架橋結合ポリマーは、ポリアミド−エピクロロヒドリン樹脂であり、前記抗ブロッキング添加剤は、グリオキシルであることを特徴とする請求項１に記載のシート。
【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
（ｉ）テトラフルオロエチレンの非溶融加工性ポリマーの粒子と（ｉｉ）ポリスルホン、ポリアミド、ポリイミド、ポリアミド−イミド、ポリビスマレイミドおよびそれらの混合物よりなる群から選択された非フッ素化ポリマーと、を含む水性コーティング組成物であって、該粒子がコア−シェル粒子であり、それによって該シェルがテトラフルオロエチレンと部分フッ素化または非フッ素化コモノマーとの共重合体を含む水性コーティング組成物。
【請求項２】
基材を請求項１に記載の水性コーティング組成物で被覆する工程を含む方法。
【請求項３】
請求項２に記載の方法で得ることができるコーティングを含む基材。
【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
ＬＱＡＮＲＤＰＤ（配列番号１）の完全配列に対して少なくとも５０％のアミノ酸同一性を有し、かつ、δ−プロテインキナーゼＣ（ＰＫＣ）結合活性を保有する、精製されたペプチド。
【請求項２】
ＬＱＡＮＲＤＰＤ（配列番号１）の完全配列に対して少なくとも５０％のアミノ酸同一性を有し、かつ、δ−ＰＫＣ結合活性を保有するペプチド、および薬学的に受容可能なキャリアを含む、組成物。
【請求項３】
ＬＱＡＮＲＤＰＤ（配列番号１）のアミノ酸配列を含む、精製されたペプチド。
【請求項４】
一つ以上のＣ末端システイン残基またはＮ末端システイン残基をさらに含む、請求項１〜３のいずれか一項に記載のペプチドまたは組成物。
【請求項５】
細胞輸送キャリア部分へと修飾されている、請求項４に記載のペプチド。
【請求項６】
δＰＫＣにより媒介される細胞応答を調節するかまたは組織を虚血もしくは低酸素症から保護するための組成物であって、請求項１〜５のいずれか一項に記載のペプチドを含む、組成物。
【請求項７】
δＰＫＣにより媒介される細胞応答を調節するか、または組織を虚血もしくは再灌流による損傷から保護するための組成物であって、ＬＱＡＮＲＤＰＤ（配列番号１）の完全配列に対して少なくとも５０％のアミノ酸同一性を有しかつδ−ＰＫＣ結合活性を保有するペプチド、および薬学的に受容可能なキャリアを含む組成物。
【請求項８】
前記ペプチドが、一つ以上のＣ末端システイン残基またはＮ末端システイン残基をさらに含む、請求項７に記載の組成物。
【請求項９】
前記ペプチドが、細胞輸送キャリア部分へと修飾されている、請求項８に記載の組成物。
【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
哺乳動物の胃、十二指腸、および小腸内にガバペチンを放出するための徐放性の経口投薬形態であって、半透膜で包まれた少なくとも８００ｍｇのガバペンチンを含むコアを含む、投与形態。
【請求項２】
前記ガバペンチンの量が、約８００ｍｇ〜１６００ｍｇである、請求項１に記載の投薬形態。
【請求項３】
前記半透膜は、アセトアルデヒドジメチルアセテート、アセトアルデヒドジメチルセルロースアセテート、アガーアセテート、アルキレンオキシドとアルキルグリシジルエーテルとのコポリマー、アミローストリアセテート、ベータグルカンアセテート、ベータグルカントリアセテート、セルロースエステル、セルロースエーテル、セルロースエステルエーテルポリマー、モノセルロースアクリラート、ジセルロースアクリラートおよびトリセルロースアクリラート、アルケニル化モノセルロース、アルケニル化ジセルロースおよびアルケニル化トリセルロース、水酸化エチレンビニルアセテート、透水性を示し、かつ本質的に溶質透過性を示さない選択透過性芳香窒素含有高分子半透膜、ポリアミド、ポリアルキレンオキシド、ポリエーテルとポリアミドとのコポリマー、ポリグリコール酸、ポリ乳酸およびその誘導体、重合体エポキシド、ポリ（メタクリラート）コポリマー塩、架橋ポリ（スルホン酸スチレンナトリウム）、架橋ポリスチレン、ポリウレタン、ポリビニルアルコール、架橋ポリ（ビニルベンジルトリエチル塩化アンモニウム）、塩化ポリビニル、ポリ（ビニルメチルエーテル）コポリマー、ポリビニルピロリドン、プロピルカルバメート、スルホン酸ポリスチレン、ローカストゴムマメのトリアセテートならびにそれらの組み合わせ：から選択される物質を含む、請求項１に記載の投薬形態。
【請求項４】
前記半透膜は、セルロースエステル、セルロースエーテル、ポリアルキレンオキシド、ポリビニルアルコール、ポリビニルピロリドンおよびそれらの組み合わせを含む、請求項３に記載の投与形態。
【請求項５】
前記セルロースエステルは、モノセルロースアセテート、ジセルロースアセテートおよびトリセルロースアセテート、セルロースアセテートスルホン酸ブチル、セルロースアセテートブチラート、セルロースアセテートクロロアセテート、セルロースアセテートジメチルアミノアセテート、セルロースアセテートエチルカルバメート、セルロースアセテートエチルカーボネート、セルロースアセテートエチルオキザラート、セルロースアセテートラウレート、セルロースアセテートメチルカルバメート、セルロースアセテートスルホン酸メチル、オクタン酸セルロースアセテート、フタル酸セルロースアセテート、プロピオン酸セルロースアセテート、セルロースアセテートスクシナート、セルロースアセテートｐ−トルエンスルホナート、バレリアン酸セルロースアセテート、プロピオン酸セルロース、プロピオン酸セルローススクシナート、ジメチルセルロースアセテート、アクリル酸モノセルロース、アクリル酸ジセルロースおよびアクリル酸トリセルロース、アルカノイル化モノセルロース、アルカノイル化ジセルロースおよびアルカノイル化トリセルロース、アロイル酸モノセルロース、アロイル酸ジセルロースおよびアロイル酸トリセルロース、トリアクリル酸セルロースならびにジアクリル酸セルロースから選択される、請求項４に記載の投与形態。
【請求項６】
前記セルロースエーテルは、エチルセルロース、ヒドロキシエチルセルロース、ヒドロキシプロピルセルロースおよびメチルセルロースから選択される、請求項４に記載の投与形態。
【請求項７】
前記半透膜は、可塑剤をさらに含む、請求項３に記載の投与形態。
【請求項８】
前記可塑剤は、アセチル化モノグリセリド、フタル酸ジブチル、フタル酸ジエチル、フタル酸イソプロピル、フタル酸ジメチル、フタル酸ダクチル、ジメチルセバケート、ジエチルセバケート、エステル、脂肪酸、グリコール、オイル、グリセリン、グリセロール、グリセロールモノステアラート、トリアセチンおよびそれらの組み合わせから選択される、請求項７に記載の投与形態。
【請求項９】
前記可塑剤は、エステルおよび脂肪酸から選択される、請求項８に記載の投与形態。
【請求項１０】
前記エステルは、クエン酸アセチルトリエチル、クエン酸アセチルトリブチル、クエン酸エステル、ジブチルセバケート、テトラエチルアセテートおよびクエン酸トリエチルから選択される、請求項９に記載の投与形態。
【請求項１１】
前記脂肪酸はステアリン酸である、請求項９に記載の投与形態。
【請求項１２】
前記半透膜は、エチルセルロース、ステアリン酸およびポリビニルピロリドンを含む、請求項７に記載の投与形態。
【請求項１３】
前記半透膜は、エチルセルロース、ステアリン酸およびヒドロキシプロピルセルロースを含む、請求項７に記載の投与形態。
【請求項１４】
前記半透膜は、ポリビニルアルコールを含む、請求項３に記載の投与形態。
【請求項１５】
前記ポリビニルアルコールは、水溶性ポリビニルアルコールおよび不溶性ポリビニルアルコールの混合物である、請求項１４に記載の投与形態。
【請求項１６】
前記ポリビニルアルコールが架橋されている、請求項１４に記載の投与形態。
【請求項１７】
前記投与形態は、哺乳動物の胃、十二指腸および小腸内におけるガバペチンの徐放を可能にする、請求項１に記載の投与形態。
【請求項１８】
少なくとも５時間に渡り、ガバペチンが前記投与形態で投与され、かつ１時間後に、少なくとも４０重量％のガバペチンが該投与形態内に保持される、請求項１に記載の投与形態。
【請求項１９】
約５時間から１２時間に渡り、少なくとも８０重量％のガバペチンの投与を提供する、請求項１に記載の投与形態。
【請求項２０】
てんかん処置のための、請求項１に記載の投与形態の組成物。
【請求項２１】
神経因性疼痛処置のための、請求項１に記載の投与形態の組成物。
【請求項２２】
精神障害の処置のための、請求項１に記載の投与形態の組成物。
【請求項２３】
運動機能障害の処置のための、請求項１に記載の投与形態の組成物。
【請求項２４】
偏頭痛の処置のための、請求項１に記載の投与形態の組成物。
【請求項２５】
ガバペンチンを必要とする患者に投与するための、治療有効量のガバペンチンを含む組成物であって、該組成物は、請求項１に記載の投与形態の組成物であることを特徴とする、組成物。
【手続補正書】
【提出日】平成20年7月15日(2008.7.15)
【手続補正１】
【補正対象書類名】特許請求の範囲
【補正対象項目名】請求項１３
【補正方法】変更
【補正の内容】
【請求項１３】
Vはフェニル；-Cl、-Br、-F、C1-3アルキル、および-CF3からなる群より独立に選択される1〜2個の置換基で置換されているフェニル；ピリジル；-Cl、-Br、-F、C1-3アルキル、および-CF3からなる群より独立に選択される1個の置換基で置換されているピリジル；フラニル；-Cl、-Br、-F、C1-3アルキル、および-CF3からなる群より独立に選択される1個の置換基で置換されているフラニル；チエニル；ならびに-Cl、-Br、-F、C1-3アルキル、および-CF3からなる群より独立に選択される1個の置換基で置換されているチエニルからなる群より選択される、請求項12に記載の化合物。
【手続補正２】
【補正対象書類名】特許請求の範囲
【補正対象項目名】請求項１８
【補正方法】変更
【補正の内容】
【請求項１８】
ウイルス複製がRNA依存性RNAウイルス複製である、請求項17に記載の方法。
【手続補正３】
【補正対象書類名】特許請求の範囲
【補正対象項目名】請求項１９
【補正方法】変更
【補正の内容】
【請求項１９】
ウイルス複製がHCV複製である、請求項18に記載の方法。
【手続補正４】
【補正対象書類名】特許請求の範囲
【補正対象項目名】請求項２１
【補正方法】変更
【補正の内容】
【請求項２１】
ウイルス感染症がRNA依存性RNAウイルス感染症である、請求項20に記載の方法。
【手続補正５】
【補正対象書類名】特許請求の範囲
【補正対象項目名】請求項２２
【補正方法】変更
【補正の内容】
【請求項２２】
ウイルス感染症がHCV感染症である、請求項21に記載の方法。
【手続補正６】
【補正対象書類名】特許請求の範囲
【補正対象項目名】請求項２３
【補正方法】変更
【補正の内容】
【請求項２３】
化合物をHCVに対して活性な第二の薬剤の治療上有効な量と併用する、請求項22に記載の方法。
【手続補正７】
【補正対象書類名】特許請求の範囲
【補正対象項目名】請求項２４
【補正方法】変更
【補正の内容】
【請求項２４】
HCVに対して活性な第二の薬剤がリバビリン；レボビリン；ビラミジン；チモシンアルファ-1；インターフェロン-β；NS3セリンプロテアーゼの阻害剤；イノシン三リン酸デヒドロゲナーゼの阻害剤；インターフェロン-αあるいはペグ化インターフェロン-α単独またはリバビリンもしくはレボビリンとの組み合わせである、請求項23に記載の方法。
【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
ａ）第１主要外面と、前記第１主要外面と向かい合う第２主要外面と、を有する光学フィルム；
ｂ）基材；
ｃ）光学フィルムの前記第１主要外面と基材との間に位置する光学的に透明な感圧接着剤層；
を含む物品であって、前記感圧接着剤層が、複屈折性ではなくて、本質的に
ｉ．アルキルメタクリレート、アラルキルメタクリレート、アリールメタクリレート、またはその組み合わせを含む第１モノマー組成物の反応生成物である少なくとも２つのＡブロックポリマー単位であって、各Ａブロックが少なくとも５０℃のＴｇを有し、（メタ）アクリレートブロックコポリマーがＡブロックを２０〜５０重量％含む、少なくとも２つのＡブロックポリマー単位；および
ｉｉ．アルキル（メタ）アクリレート、ヘテロアルキル（メタ）アクリレート、ビニルエステル、またはその組み合わせを含む第２モノマー組成物の反応生成物である少なくとも１つのＢブロックポリマー単位であって、前記Ｂブロックが２０℃以下のＴｇを有し、（メタ）アクリレートブロックコポリマーがＢブロックを５０〜８０重量％含む、少なくとも１つのＢブロックポリマー単位；
を含有し、ここで前記Ａブロックポリマー単位は、前記Ｂブロックポリマー単位のマトリックス中に、平均サイズが１５０ナノメートル未満のナノドメインとして存在している、
（メタ）アクリレートブロックコポリマーからなる、物品。
【請求項２】
ａ）第１主要外面と、前記第１主要外面と向かい合う第２主要外面と、を有する光学フィルム；
ｂ）前記光学フィルムの第１主要外面に隣接する、光学的に透明な第１感圧接着剤であって、前記光学的に透明な第１感圧接着剤が、複屈折性ではなくて、本質的に
ｉ．アルキルメタクリレート、アラルキルメタクリレート、アリールメタクリレート、またはその組み合わせを含む第１モノマー組成物の反応生成物である少なくとも２つのＡブロックポリマー単位であって、各Ａブロックが少なくとも５０℃のＴｇを有し、（メタ）アクリレートブロックコポリマーがＡブロックを２０〜５０重量％含む、少なくとも２つのＡブロックポリマー単位；および
ｉｉ．アルキル（メタ）アクリレート、ヘテロアルキル（メタ）アクリレート、ビニルエステル、またはその組み合わせを含む第２モノマー組成物の反応生成物である少なくとも１つのＢブロックポリマー単位であって、前記Ｂブロックが２０℃以下のＴｇを有し、（メタ）アクリレートブロックコポリマーがＢブロックを５０〜８０重量％含む、少なくとも１つのＢブロックポリマー単位；
を含有し、ここで前記Ａブロックポリマー単位は、前記Ｂブロックポリマー単位のマトリックス中に、平均サイズが１５０ナノメートル未満のナノドメインとして存在している、（メタ）アクリレートブロックコポリマーからなる（メタ）アクリレートブロックコポリマーを含む、光学的に透明な第１感圧接着剤；
ｃ）光学フィルムの第２主要外面に隣接する第２接着剤；
を含む物品。
【請求項３】
第１基材および第２基材のうちの少なくとも１つがガス放出基材である、第１基材および第２基材；および
前記第１基材と前記第２基材との間に位置する感圧接着剤層であって、前記光学的に透明な第１感圧接着剤が、複屈折性ではなくて、
ｉ．アルキルメタクリレート、アラルキルメタクリレート、アリールメタクリレート、またはその組み合わせを含む第１モノマー組成物の反応生成物である少なくとも２つのＡブロックポリマー単位であって、各Ａブロックが少なくとも５０℃のＴｇを有し、（メタ）アクリレートブロックコポリマーがＡブロックを２０〜５０重量％含む、少なくとも２つのＡブロックポリマー単位；および
ｉｉ．アルキル（メタ）アクリレート、ヘテロアルキル（メタ）アクリレート、ビニルエステル、またはその組み合わせを含む第２モノマー組成物の反応生成物である少なくとも１つのＢブロックポリマー単位であって、前記Ｂブロックが２０℃以下のＴｇを有し、（メタ）アクリレートブロックコポリマーがＢブロックを５０〜８０重量％含む、少なくとも１つのＢブロックポリマー単位；
を含有する（メタ）アクリレートブロックコポリマーを含む、感圧接着剤層；
を含む物品であって、
ここで前記Ａブロックポリマー単位は、前記Ｂブロックポリマー単位のマトリックス中に、平均サイズが１５０ナノメートル未満のナノドメインとして存在しており、
前記ブロックコポリマーが、温度の関数として変化する貯蔵弾性率Ｇ’（２５℃で５．１Ｐａ＜ｌｏｇ（Ｇ’）および１５０℃で４．４Ｐａ＜ｌｏｇ（Ｇ’））を有する、物品。
【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
少なくとも１６００キロワットの出力を備えた内燃機関を潤滑組成物で潤滑させる方法であって、該方法は、以下の工程を包含する：
（１）該内燃機関の１つまたはそれ以上の性能特性をモニターする工程；
（２）潤滑組成物に所望のＴＢＮレベルを与えるように添加剤パッケージを選択して、該内燃機関の該性能特性を変える工程であって、該添加剤パッケージは、オーバーベース化清浄剤を含む、工程；
（３）工程（２）の該添加剤パッケージと、（ａ）ライトニュートラル基油を含有する成分と、必要に応じて、（ｂ）ヘビーニュートラル基油またはブライトストックを含有する成分とを混ぜ合わせて潤滑組成物を形成する工程であって、該ライトニュートラル基油は、約２ｍｍ２／ｓ〜１２ｍｍ２／ｓの粘度を有し、そして該ヘビーニュートラル基油またはブライトストックは、１２ｍｍ２／ｓより高く約４０ｍｍ２／ｓまでの粘度を有する；そして
（４）工程（３）の該潤滑組成物を該内燃機関に供給する工程；
ここで、該潤滑組成物は、少なくとも１０ｍｇ  ＫＯＨ／ｇの全塩基価を有する；そして、ここで、該ライトニュートラル基油を含有する該成分は、該内燃機関に利用できるオイルリザーバから供給される、
方法。
【請求項２】
前記内燃機関が、２−ストローク船舶ディーゼルエンジンである、請求項１に記載の方法。
【請求項３】
前記ライトニュートラル基油が、新規または使用済みクランクケースシステム油から提供される、請求項１に記載の方法。
【請求項４】
前記潤滑組成物の前記全塩基価が、３０ｍｇ  ＫＯＨ／ｇ以上である、請求項１に記載の方法。
【請求項５】
前記機関の前記１つまたはそれ以上の特性が、摩耗、エンジン負荷、ＴＢＮの変化、堆積物、または腐食を含む、請求項１に記載の方法。
【請求項６】
工程（２）の前記添加剤パッケージが、ブレンダーにおいて、基油と混ぜ合わされる、請求項１に記載の方法。
【請求項７】
工程（２）の前記添加剤パッケージが、さらに、少なくとも１種の性能添加剤を含有し、該性能添加剤が、高分子増粘剤、分散剤、耐摩耗剤、清浄剤またはそれらの混合物を含む、請求項１に記載の方法。
【請求項８】
前記高分子増粘剤が、約８０００より高く約２５，０００までの重量平均分子量Ｍｗを有するポリイソブチレンまたは約２０，０００〜約３００，０００の重量平均分子量Ｍｗを有するポリ（メタ）アクリレートを含有する、請求項７に記載の方法。
【請求項９】
前記ライトニュートラル基油が、前記潤滑組成物の約５０〜約９９．９重量パーセントで存在している；前記ヘビーニュートラル基油またはブライトストックが、該潤滑組成物の約０．０１〜約２５重量パーセントで存在している；そして少なくとも１種の性能添加剤が、該潤滑組成物の約０．０１〜約２５重量パーセントで存在している、請求項１に記載の方法。
【請求項１０】
シリンダー潤滑剤を製造するための、添加剤パッケージを添加した使用済みクランクケースシステム油の使用。
【請求項１１】
２−ストローク船舶ディーゼルエンジンにおけるシリンダー潤滑剤としての、請求項１０に記載の添加したシステム油の使用。
【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
ポリマー１００ｇあたり約３ミリ当量を超える内在化非三級アミンを含むポリマーであって、
複数の内在化ポリマー結合したＺＮＨＬＳｉ（ＯＰ）a（Ｘ）3-a-b（Ｙ）b単位
（式中、
Ｚは水素またはアルキルから選択され、
Ｌは二価のアルキレンから選択され、Ｌは１つ以上の二価の芳香族基またはヘテロ原子基で中断されていてもよく、
Ｐは１つ以上のポリマー鎖を表し、
ａは１〜３であり、
ａ＋ｂは１〜３であり、
各Ｘは加水分解的に安定した基であり、
各Ｙは不安定基であり、
ＸまたはＹは複数である場合、独立して選択されてもよい）
を含む、ポリマー。
【請求項２】
アミノ置換オルガノシランエステルまたはエステル同等物と、複数の極性官能基を有するポリマーと、の反応生成物を含む結合組成物であって、
複数の極性官能基を有するポリマーが、
（i）エステルまたはエステル同等基を置換し、前記ポリマーがケイ素原子を介してシ ランに共有結合する、シランエステルまたはエステル同等物、
（ii）反応生成物が内在化Ｓｉ−Ｏ−ＳｉおよびＮＨＲ基を有する、ポリアミドまたは 熱可塑性ポリウレタン、または
（iii）酸無水物官能基を有するポリマーであって、アミノシランの量が顕著な架橋を 防止するのに十分であり、反応生成物が内在化Ｓｉ−Ｏ−ＳｉおよびＮＨＲ基を有 する、ポリマー
から選択される組成物と結合性に反応性がある、結合組成物。
【手続補正２】
【補正対象書類名】明細書
【補正対象項目名】００３６
【補正方法】変更
【補正の内容】
【００３６】
好ましくはフルオロポリマーは、溶液または分散体から押し出しまたは被覆できる材料である。このようなフルオロポリマーは、典型的に約１００℃〜約３３０℃、より好ましくは約１５０℃〜約２７０℃の融解温度を有するフルオロプラスチックである。好ましいフルオロプラスチックは、二フッ化ビニリデン（ＶＤＦ）とテトラフルオロエチレンから誘導される共重合単位を含んでもよく、さらにその他のフッ素含有モノマー、非フッ素含有モノマー、またはそれらの組み合わせから誘導される共重合単位を含んでもよい。適切なフッ素含有モノマーの例としては、テトラフルオロエチレン（ＴＦＥ）、ヘキサフルオロプロピレン（ＨＦＰ）、クロロトリフルオロエチレン（ＣＴＦＥ）、３−クロロペンタフルオロプロペン、過フッ化（完全フッ素化（perfluorinated））ビニルエーテル（例えばＣＦ3ＯＣＦ2ＣＦ2ＣＦ2ＯＣＦ＝ＣＦ2などのペルフルオロアルコキシビニルエーテルと、ＣＦ3ＯＣＦ＝ＣＦ2およびＣＦ3ＣＦ2ＣＦ2ＯＣＦ＝ＣＦ2などのペルフルオロアルキルビニルエーテル）、およびフッ化ビニルが挙げられる。適切な非フッ素含有モノマーの例としては、オレフィンモノマーなどのエチレン、プロピレンなどが挙げられる。
【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
少なくとも１つのポリアミドを含む熱可塑性ポリマーを、ポリアミドの総重量を基準にして０．０１〜１０重量パーセントの少なくとも１つの有機酸、および、任意選択的に、１つまたは複数の追加成分と溶融ブレンドする工程を含み、有機酸がポリアミドの融点吸熱の開始温度より約１０℃低い温度以上の融点を有することを特徴とする高いメルトフローを示す樹脂組成物の製造方法。
【請求項２】
請求項１に記載の方法による組成物から製造されることを特徴とする製品。
【手続補正２】
【補正対象書類名】明細書
【補正対象項目名】００２３
【補正方法】変更
【補正の内容】
【００２３】
本発明の方法で製造された組成物は高いメルト−フローを有し、射出成形、ロトモールディングおよび他の溶融加工技術を用いて様々な物品へ好都合にも成形されてもよい。
以下に、本発明の好ましい態様を示す。
［１］  少なくとも１つのポリアミドを含む熱可塑性ポリマーを、ポリアミドの総重量を基準にして０．０１〜１０重量パーセントの少なくとも１つの有機酸、および、任意選択的に、１つまたは複数の追加成分と溶融ブレンドする工程を含み、有機酸がポリアミドの融点吸熱の開始温度より約１０℃低い温度以上の融点を有することを特徴とする高いメルトフローを示す樹脂組成物の製造方法。
［２］  前記有機酸が前記ポリアミドの融点吸熱の開始温度より約５℃低い温度以上の融点を有することを特徴とする［１］に記載の方法。
［３］  前記有機酸が前記ポリアミドの融点吸熱の開始温度以上である融点を有することを特徴とする［１］に記載の方法。
［４］  ポリアミドの総重量を基準にして約０．０５〜約２重量パーセントの少なくとも１つの有機酸が使用されることを特徴とする［１］に記載の方法。
［５］  ポリアミドの総重量を基準にして約０．１〜約１重量パーセントの少なくとも１つの有機酸が使用されることを特徴とする［１］に記載の方法。
［６］  前記ポリアミドが約２００℃〜約３１０℃の開始温度の融点吸熱を有することを特徴とする［１］に記載の方法。
［７］  前記有機酸がテレフタル酸および／またはイソフタル酸であることを特徴とする［６］に記載の方法。
［８］  前記ポリアミドが約１００℃〜約１６０℃の開始温度の融点吸熱を有することを特徴とする［１］に記載の方法。
［９］  前記有機酸がアジピン酸および／またはドデカン二酸であることを特徴とする［８］に記載の方法。
［１０］  前記ポリアミドが、ポリアミド６、ポリアミド６，６、ポリアミド６，１０、ポリアミド６，１２、ポリアミド１１、ポリアミド１２、ポリアミド４，６、ポリアミド９，Ｔ、ポリアミド１０，Ｔ、ポリアミド１２，Ｔ、ポリアミド６，Ｔ／６，６、およびポリアミド６，Ｔ／Ｄ，Ｔの１つまたは複数から選択されることを特徴とする［６］に記載の方法。
［１１］  ポリアミドが、ポリアミド６、ポリアミド６，６、ポリアミド６，１０、ポリアミド６，１２、ポリアミド１１、ポリアミド１２、ポリアミド４，６、ポリアミド９，Ｔ、ポリアミド１０，Ｔ、ポリアミド１２，Ｔ、ポリアミド６，Ｔ／６，６、およびポリアミド６，Ｔ／Ｄ，Ｔの１つまたは複数から選択されることを特徴とする［７］に記載の方法。
［１２］  前記熱可塑性ポリマーが少なくとも１つのポリアミドであり、そして前記追加成分が耐衝撃性改良剤を含むことを特徴とする［１］に記載の方法。
［１３］  前記耐衝撃性改良剤が無水マレイン酸でグラフトされたＥＰＤＭポリオレフィンを含むことを特徴とする［４］に記載の方法。
［１４］  前記熱可塑性ポリマーが少なくとも１つのポリアミドであり、前記追加原料が少なくとも１つの強化剤を含むことを特徴とする［１］に記載の方法。
［１５］  前記強化剤がガラスファイバーであることを特徴とする［１４］に記載の方法。
［１６］  ［１］に記載の方法による組成物から製造されることを特徴とする製品。